(57)【要約】      （修正有）【課題】画期的で全く新しい発想のコラボ商品を、コラボレーションすることにより共同開発して商品化を図れるコラボ商品開発システムを提供する。【解決手段】コラボ商品開発システム１は、複数のクリエータ２がインターネット３を介して接続することにより、成果物の開発、製作、販売等の管理を行うコラボ商品開発サイト１０を備えている。このコラボ商品開発サイトは、一のクリエータＡが消費者のニーズ等に基づく新規の成果物を生み出すにあたっての募集を行う募集手段１２と、その募集に対し他のクリエータＢの応募を受付、その受付けたクリエータからの選別、承認を行う受付、承認手段１４と、クリエータ同士が得意分野を生かしコラボレーションすることにより所望の成果物を共同で創出し、更にメインとなるクリエータが創作したオリジナル成果物を提示し、他のクリエータがそれを利用して新たなものを生み出す二次創作によるコラボ手段１６とを備える。【選択図】図１
2014174973.tif 000002
【特許請求の範囲】
【請求項１】
複数のクリエータ同士がコラボレーションすることにより、新しい発想の成果物を生み出すためのコラボ商品開発システムであって、
複数のクリエータがインタネットを介して接続することにより、成果物の開発、製作、販売等の管理を行うコラボ商品開発サイトを備えてなり、
このコラボ商品開発サイトは、一のクリエータが消費者のニーズ等に基づく新規の成果物を生み出すにあたっての募集を行う募集手段と、その募集に対し他のクリエータの応募を受付、その受付けたクリエータからの選別、承認を行う受付、承認手段と、前記クリエータ同士がそれぞれの得意分野を生かしコラボレーションすることにより所望の成果物を共同で創り出すコラボ手段とを備えていることを特徴とするコラボ商品開発システム。
【請求項２】
請求項１記載のコラボ商品開発システムにおいて、
前記コラボ商品開発サイトは、前記コラボ手段で創り出した成果物の製作、販売を行う製作、販売手段と、該成果物の販売による利益分配を行う利益分配手段とを、さらに備えていることを特徴とするコラボ商品開発システム。
【請求項３】
請求項１または請求項２記載のコラボ商品開発システムにおいて、
前記コラボ商品開発サイトは、前記コラボ手段にて創り出された成果物を表示する閲覧表示手段を備え、
該閲覧表示手段に表示することにより、複数のクリエータがコラボレーションすることにより得られた成果物の宣伝、製作、販売を行うように構成されていることを特徴とするコラボ商品開発システム。
【発明の詳細な説明】
【技術分野】
【０００１】  本発明は、複数（少なくとも二以上）のクリエータ同士がそれぞれの得意分野を有効に活用してコラボレーションすることにより、画期的で目新しく発想のコラボ商品（商品、製品、作品等の種々の成果物を含む）を共同で開発して商品化するために用いられるコラボ商品開発システムに関する。
【背景技術】
【０００２】  商品開発にあたって、ユーザとなる一般消費者の要望、ニーズなどを把握し、必要なマーケッティングを行うことは、当然行われていることである。そして、最近は、コンピュータの普及と共に、インターネット上に消費者のニーズを集めて整理し、それを利用して商品の開発を行い、その製造、さらには販売等を行う業者を募集し、入札、落札等の処理を行い、商品の製造、販売等を発注すること等を管理するようにしたシステムが、従来既に提案されている（例えば、特許文献１参照）。
【先行技術文献】
【特許文献】
【０００３】
【特許文献１】  特開平２００２−３４２５５４号公報
【発明の概要】
【発明が解決しようとする課題】
【０００４】  しかし、上述した従来システムでは、消費者のニーズに応じた商品開発を管理し、所用の商品を製造、販売することがある程度は期待できるが、商品として画期的でしかも目新しい発想の商品を生み出すうえで限界があるものであった。【０００５】  特に、最近は、異業種の企業同士が、それぞれの得意分野を生かして、共同研究、共同開発することで、画期的で目新しい発想の商品、製品等を生み出すことが行われるようになってきている。これは、得意分野の異なり、価値観等も異なるクリエータ同士がアイデアを出し合い、コラボレーションすることにより、従来には存在しないような画期的で目新しい発想をもつコラボ商品の開発が可能となるためである。【０００６】  そして、このような点をも考慮し、画期的で目新しい発想の商品開発を行えるような何らかの対策を講じることが望まれている。【０００７】  本発明はこのような事情に鑑みてなされたものであり、画期的で全く新しい発想のコラボ商品（コラボ成果物）をコラボレーションしての共同開発による商品化を図れるコラボ商品開発システムを得ることを目的とする。
【課題を解決するための手段】
【０００８】  このような目的に応えるために本発明（請求項１記載の発明）に係るコラボ商品開発システムは、複数のクリエータ同士がコラボレーションすることにより、新しい発想の成果物（コラボ商品）を生み出すためのコラボ商品開発システムであって、複数のクリエータがインタネットを介して接続することにより、成果物（コラボ商品）の開発、製作、販売等の管理を行うコラボ商品開発サイトを備えてなり、このコラボ商品開発サイトは、一のクリエータが消費者のニーズ等に基づく新規の成果物（コラボ商品）を生み出すにあたっての募集を行う募集手段と、その募集に対し他のクリエータの応募を受付、その受付けたクリエータからの選別、承認を行う受付、承認手段と、前記クリエータ同士がそれぞれの得意分野を生かしコラボレーションすることにより所望の成果物（コラボ商品）を共同で創り出すコラボ手段とを備えていることを特徴とする。【０００９】  本発明（請求項２記載の発明）に係るコラボ商品開発システムは、請求項１において、前記コラボ商品開発サイトは、前記コラボ手段で創り出した成果物の製作、販売を行う製作、販売手段と、該成果物の販売による利益分配を行う利益分配手段とを、さらに備えていることを特徴とする。【００１０】  本発明（請求項３記載の発明）に係るコラボ商品開発システムは、請求項１または請求項２において、前記コラボ商品開発サイトは、前記コラボ手段にて創り出された成果物を表示する閲覧表示手段を備え、該閲覧表示手段に表示することにより、複数のクリエータがコラボレーションすることにより得られた成果物の宣伝、製作、販売を行うように構成されていることを特徴とする。
【発明の効果】
【００１１】  以上説明したように本発明に係るコラボ商品開発システムによれば、種々の分野の企業同士、あるいは企業と個人などといった複数のクリエータ同士を、インターネット上に構築されたコラボ商品開発サイトで仲介することにより、グループとして組み合わせることで、消費者のニーズ等に応じた商品開発をコラボレーションにより共同で行うことができる。【００１２】  特に、本発明によれば、コラボレーションするためのクリエータを、インターネット上で募集したり、承認したりするようにしているから、様々なクリエータとのコラボレーションが可能となり、画期的で目新しい発想の商品開発を、より一層期待できるという優れた効果がある。【００１３】  換言すれば、本発明によるシステムによれば、様々なクリエータとして、例えば種々の分野における企業、個人等を適宜仲介して組み合わせ、商品開発のコラボ化を図ることにより、消費者のニーズに応じた画期的で目新しい発想のコラボ商品の開発を行える仕組みを実現することができる。
【図面の簡単な説明】
【００１４】
【図１】  本発明に係るコラボ商品開発システムの一実施形態を示すシステム全体の概略構成図である。
【図２】  本発明に係るコラボ商品開発システムにおいて、コラボ商品の開発ステップを説明するための説明図である。
【発明を実施するための形態】
【００１５】  一のクリエータがコラボ商品を開発するにあたって、コラボ商品開発サイト上で募集を行い、他のクリエータが応募することで、それを受付し、その中からコラボレーション相手として選んだクリエータを承認する。そして、これらのクリエータ同士がコラボレーションすることにより、商品開発を共同で行い、コラボ商品を創り出すことで、画期的で、目新しい発想の商品を生み出すことができる。
【実施例１】
【００１６】  図１は本発明に係るコラボ商品開発システムの一実施形態を示す。
同図において、符号１は本発明を特徴づけるコラボ商品開発システムであり、コラボ商品開発を行うにあたってのクリエータとなるユーザ２が、インターネット３を介して適宜接続されるコラボ商品開発サイト１０を備えている。【００１７】  なお、このコラボ商品開発サイト１０は、ユーザ２が所用の手続きを行うことにより登録することでアクセス可能となる会員制サイトであることが望ましい。【００１８】  本発明によれば、上述した構成によるコラボ商品開発システム１において、複数のクリエータ２同士がコラボレーションすることにより、新しい発想の成果物（コラボ商品）を生み出すにあたって、複数のクリエータ２がインタネット３を介して接続することにより、成果物の開発、製造又は製作、販売等の管理を行うコラボ商品開発サイト１０を備えている。【００１９】  このコラボ商品開発サイト１０は、一のクリエータ２Ａが消費者のニーズ等に基づく新規の成果物を生み出すにあたっての募集を行う募集手段１２と、その募集に対し他のクリエータ２Ｂの応募を受付、その受付けたクリエータ２Ｂからの選別、承認を行う受付、承認手段１４と、前記クリエータ２Ａ，２Ｂ同士がそれぞれの得意分野を生かしコラボレーションすることにより所望の成果物を共同で創り出すコラボ手段１６とを備えている。【００２０】  ここで、上述したコラボ商品開発サイト１０においてコラボレーションするコラボ商品（成果物）としては、例えばデザイン、アート、音符、電子機器、端末装置、その他の適宜の商品などが考えられる。また、例えば詩と曲といった組み合わせによる成果物であってもよい。要は、複数のクリエータ２によって共同開発されることにより、所用の成果物が得られるものであればよい。さらに、例えばＴシャツ、スマホケース、フォトブック。フィギュアなどの商品に、デザイン、その他を加味して創り出すことにより、コラボ商品を生み出すようにしてもよい。【００２１】  また、上述した例では、一のクリエータ２Ａが所用の商品を製作するにあたって、他のクリエータ２Ｂを募集する場合を説明したが、本発明はこれに限定されない。例えば、サイト１０側において、一般消費者などのニーズを集めて、商品を共同で開発を行うクリエータを募集するようにしてもよい。さらに、募集を行うにあたって、メインとなるクリエータ２Ａが予め創作したオリジナルの成果物を提示し、他のクリエータ２Ｂがそれを利用して新たなものを生み出したりする、いわゆる二次創作によるコラボ商品であってもよい。【００２２】  以上のような構成によるコラボ商品開発サイト１０によれば、種々の分野の企業同士、あるいは企業と個人、個人と個人などといった複数のクリエータ２同士を、インターネット３上に構築されたコラボ商品開発サイト１０で仲介することにより、グループとして組み合わせることで、消費者のニーズ等に応じた商品開発をコラボレーションにより共同で行うことができる。【００２３】  特に、コラボレーションするためのクリエータ２を、インターネット３上で募集したり、承認したりするようにしているから、様々なクリエータとのコラボレーションが可能となり、画期的で目新しい発想の商品開発を、より一層期待することができる。【００２４】  換言��れば、本発明によるシステム１によれば、様々なクリエータ２として、例えば種々の分野における企業、個人等を適宜仲介して組み合わせ、商品開発のコラボ化を図ることにより、消費者のニーズに応じた画期的で目新しい発想のコラボ商品の開発を行える仕組みを実現することができる。【００２５】  ここで、本発明によるコラボ商品開発サイト１０は、コラボ手段１６で創り出した成果物の製作、販売を行う製作、販売手段１８と、該成果物の販売による利益分配を行う利益分配手段２０とを備えている。
なお、上述した製作、販売手段１８での製作は、販売にあたってコラボ商品を予め製作して準備した場合であっても、また販売を行ない、発注があってから製作を行うようにした場合であってもよい。【００２６】  このような構成によれば、コラボレーションすることで得られたコラボ商品を、当該サイト１０上で作成、販売することにより、商品の販路が拡大し、収益を上げることができる。なお、上述した利益配分は、コラボ商品の開発にあたっての貢献度などに応じて予め取り決めた約束、契約等によって分配するようにするとよい。【００２７】  すなわち、図２に示されるように、一のクリエータ２Ａが応募することで他のクリエータ２Ｂの募集を行ない、募集したクリエータ２Ｂを受付し、所用の審査、選択などを行って共同開発すべきクリエータ２Ｂであると認定した時点で承認が行われる。【００２８】  その後、コラボレーションすることで得られたコラボ商品を製作し、それを販売することで販路を確保できるようにするとよい。そして、その結果得られた利益を分配するといった機能を持たせることもできる。【００２９】  ここで、図中２２はコラボ商品開発サイト１０に設けられた閲覧表示手段であり、このような表示手段２２を設け、ネット販売できるように構成することで、コラボ商品の販売はもとより、当該サイト１０によるコラボレーションすることで得られる商品の共同開発の宣伝にもなるという利点もある。【００３０】  また、上述したコラボ商品開発サイト１０では、グループ化された個々のコラボレーションを行うクリエータ２同士のやり取り等を監視するように構成するとよい。このようにすれば、違法な商品開発や違法な出来事を把握することができる。【００３１】  さらに、上述した監視を行うことで、個々のクリエータ２やグループに、法律的な事柄や特許的な事柄が生じたときに、弁護士や弁理士を紹介するといったサービスを供することもできる。【００３２】  なお、本発明は上述した実施形態で説明した構造には限定されず、コラボ商品開発システム１を構成する各部の形状、構造等を適宜変形、変更し得ることはいうまでもない。
たとえば上述したユーザ２としては、個人に限定されず、企業であってもよいことは言うまでもない。
【符号の説明】
【００３３】  １  コラボ商品開発システム
２  ユーザ（クリエータ）
３  インターネット
１０  コラボ商品開発サイト
１２  募集手段
１４  受付、承認手段
１６  コラボ手段
１８  製作、販売手段
２０  利益分配手段
２２  閲覧表示手段
【図１】
2014174973.tif 000003
【図２】
2014174973.tif 000004